(57)【要約】【目的】吊り装置において吊環が本体の長溝内を摺動するときの面圧抵抗を減少し、長期の使用によっても長溝に圧痕が付かないようにする。【構成】本体（１０）の長溝１４に吊環ピン１６を摺動自在として本体と吊環（３０）とを連結する連結構造において、一対の平行面１９ａを有するカラー１９が吊環ピンの両端に装着され、該カラーの平行面が長溝の内側面と面接しながら相対移動可能とされているため、相対移動時の面圧抵抗が減少し、長期の使用によっても長溝に圧痕が付くことがない。【選択図】図３
2004345866.tif 000002
【特許請求の範囲】
【請求項１】
本体の長溝に吊環ピンを摺動自在として本体と吊環とを連結する連結構造において、吊環ピンに一対の平行面が形成され、該吊環ピンの一対の平行面が長溝の長手方向に延長する一対の内側面と面接しながら相対移動可能とされていることを特徴とする吊り装置における本体と吊環の連結構造。
【請求項２】
本体の長溝に吊環ピンを摺動自在として本体と吊環とを連結する連結構造において、一対の平行面を有するカラーが吊環ピンの両端に装着され、該カラーの一対の平行面が長溝の長手方向に延長する一対の内側面と面接しながら相対移動可能とされていることを特徴とする吊り装置における本体と吊環の連結構造。
【発明の詳細な説明】
【技術分野】
【０００１】
本発明はクランプや絞り吊りハッカーなどの吊り装置に関し、特に該吊り装置において本体と吊環を互いに摺動可能に連結するための連結構造に関する。
【背景技術】
【０００２】
たとえば下記特許文献１に示されるように、従来の縦吊りクランプなどの吊り装置においては、クランプ本体の長溝に吊環ピンを摺動自在として本体と吊環とを連結している。吊環にクレーンのフックなどを引っ掛けて吊り上げることによって荷重がかかると、吊環ピンがクランプ本体の長溝に沿って上昇移動し、これに伴い、リンク機構を介して吊環ピンに連結されたカム顎がクランプ本体の開口に突出し、吊荷を圧接挟持する。
【特許文献１】特許第３２４１１７８号公報
【発明の開示】
【発明が解決しようとする課題】
【０００３】
従来の吊環ピンは円柱形状であり、これが長溝に沿って摺動すると、吊環ピンと長溝縁とが一点接触であることから面圧が大きく、特に定格荷重の２．５倍以上の負荷が作用したときに長溝に圧痕が付くことが判明した。長溝に圧痕が付くと吊環ピンの摺動がスムーズに行われなくなり、吊り上げに支障を来すことがある。
【課題を解決するための手段】
【０００４】
この課題を達成するため、請求項１にかかる本発明は、本体の長溝に吊環ピンを摺動自在として本体と吊環とを連結する連結構造において、吊環ピンに一対の平行面が形成され、該吊環ピンの一対の平行面が長溝の長手方向に延長する一対の内側面と面接しながら相対移動可能とされていることを特徴とする吊り装置における本体と吊環の連結構造である。
【０００５】
請求項２にかかる本発明は、本体の長溝に吊環ピンを摺動自在として本体と吊環とを連結する連結構造において、一対の平行面を有するカラーが吊環ピンの両端に装着され、該カラーの一対の平行面が長溝の長手方向に延長する一対の内側面と面接しながら相対移動可能とされていることを特徴とする吊り装置における本体と吊環の連結構造である。
【発明の効果】
【０００６】
本発明の吊り装置における本体と吊環の連結構造によれば、吊環ピンまたはその両端に装着されたカラーの一対の平行面が長溝の長手方向に延長する一対の内側面と面接しながら相対移動可能とされているので、移動時の面圧抵抗が減少し、長期の使用によっても長溝に圧痕が付くことがない。
【発明を実施するための最良の形態】
【０００７】
以下に、絞り吊り用ハッカーに本発明による連結構造を組み込んだ実施形態について、添付図面を参照しながら説明する。図１および図２はこの絞り吊り用ハッカーを無負荷状態にあるものとして示す。このハッカーは、本体１０と、アーム２０と、吊環部材３０とから構成されている。これら各構成部材は高張力鋼や合金鋼などの強度および耐久性に優れた金属材料で形成される。
【０００８】
本体１０は、所定の略同一形状を有する一対の本体板１１，１１が防撓材１２を介して所定間隔をおいて溶接一体化されてなる。以下一方の本体板１１について説明すると、側方に開口する開口部１３を有して略Ｕ字形に形成されており、該開口部１３に鋼材などの被吊り上げ物の端部が挿入されるようになっている。
【０００９】
開口部１３の上方において斜め上方に延長する長溝１４が形成される。本実施例では長溝１４の傾斜角度は直上に対して約５０度とされている。
【００１０】
また、開口部１３の奥方には、アーム２０の基端部に設けられるアームピン２１を挿通する挿通孔１５が設けられる。
【００１１】
アーム２０は、一対の本体板１１，１１の間に挟み込まれて配置され、上記のように、本体１０の挿通孔１５を挿通するアームピン２１を軸として本体１０に対して回動可能に軸支されている。
【００１２】
アームピン２１と反対側の端部近くには斜め上方に延長する長溝２２が設けられる。本実施例では、長溝２２は、本体１０の長溝１４と同じ傾斜方向に直上に対して約１０度の傾斜角度を有するものとして形成されている。また、本体１０の長溝１４とアーム２０の長溝２２は、無負荷時において、それらの下方端同士が略同心上に整列した位置となるように形成されている。
【００１３】
アーム２０の先端部下たには、このハッカーを絞り吊りに用いたときに、本体１０の開口部１３内に挿入された被吊り上げ物の端部に当接する当接部材２３が溶接などにより一体的に設けられる。
【００１４】
吊環部材３０は、本体板１１，１１の外側に配置される一対の吊環板３１，３１を有する。これら吊環板３１，３１は、それらの一端において、カラー１９を嵌装したボルト１６が本体１０の長溝１４とアーム２０の長溝２２を挿通し、本体板１１，１１の外側でナット１７，１７をボルト１６の両端に締め付けることにより、本体１０に取り付けられる。かくして、吊環部材３０は、長溝１４に沿って移動可能に本体１０に対して取り付けられると共に、ボルト１６の長溝１４内の移動に伴ってアーム２０をアームピン２１を軸として回動させるようにアーム２０と連結される。
【００１５】
なお、カラー１９は、図３および図７に示すように、両側に平行面１９ａ，１９ａを作り、この平行面１９ａ、１９ａで長溝１４の内側面と面接しながら移動するように構成されている。これにより、移動時の面圧抵抗を減少させることができる。
【００１６】
吊環板３１，３１の他端は本体１０の上方に配置され、スペーサ３２およびカラー３３を介装したボルト３４が該他端を挿通し、吊環板３１，３１の外側でナット３５，３５をボルト３４の両端に締め付けることにより、吊環板３１，３１が所定間隔をおいて平行に支持され連結固定される。カラー３３はスペーサ３２の外側を回動自在に設けられる。
【００１７】
図４はこのハッカーの無負荷状態と負荷状態とを模式的に示してその作用を説明する図であり。説明に不要な部材は図示省略してある。無負荷状態の各部材は実線または破線で示される位置にある（図１と同様）。
【００１８】
この無負荷状態において本体１０の開口部１３に被吊り上げ物（図示せず）の端部を挿入して、吊環部材３０のカラー３３に掛けたワイヤ（図示せず）を絞り込むことにより吊環部材３０を上方に引き上げる力が加えられると、吊環部材３０を本体１０に連結しているボルト１６が長溝１４に沿って斜め上方に移動する。無負荷状態においては、ボルト１６は本体１４の長溝１４とアーム２０の長溝２２とが略整列している一端部分を挿通する位置にあるが、これら長溝１４，２２は該整列端部から他端に向かうにつれて互いに徐々に離れる方向に延長しているため、ボルト１６が長溝１４の他端に向かって移動しようとするとき、その移動されたボルト１６の位置がアーム２０の長溝２２の開口領域内となるように、アーム２０がアームピン２１を軸として図４において時計方向に回転する。
【００１９】
すなわち、吊環部材３０が図４において仮想線で示される吊り上げ位置に移動したとき、これに伴ってアーム２０も同図に仮想線で示される位置に回転移動し、その先端部の当接部材２３を本体開口部１３に向けて突出させる。
【００２０】
かくして、開口部１３に挿入された被吊り上げ物の端部は、開口部１３に向けて突出するよう付勢された当接部材２３と、これに対向する本体顎部上面１８との間に圧接挟持され、横滑りを生じさせることなく安定した吊り上げを行うことが可能となる。
【００２１】
なお、無負荷状態において吊環部材３０は、図４に仮想線で示される位置にあるボルト１６を軸として回転可能であり、これによって様々な引っ張り方向（一例として図５参照）に追従することができる。
【００２２】
図５はこのハッカーの使用例を示し、Ｈ形鋼１の張り出し部２の両端をこのハッカーの本体開口部１３に挿入し、それらハッカーの吊環部材カラー３３にワイヤ４を架け渡して該ワイヤを絞り込んだ状態で情報でチェーン（図示せず）に連結し、これをクレーン（図示せず）などで吊り上げて運搬するものである。このような用法によるときは、Ｈ形鋼１の長手方向に所定間隔をおいて複数対のハッカーを用いて吊り上げを行う。
【００２３】
また、このハッカーは本体開口部１３の下方域において本体板１１,11の間に空間が配されているため、図６に示すように、このハッカーをＨ形鋼１の長手方向の両端において使用し、ビーム３を本体板１１，１１間の空間に挿入し、ビーム３上端に一体化されている張り出し部２の周辺領域を本体開口部１３に挿入して、前記のようにしてワイヤ４を架け渡して絞って吊り上げることも可能である。
【図面の簡単な説明】
【００２４】
【図１】本発明による連結構造を組み込んだ絞り吊り用ハッカーの正面図である。
【図２】このハッカーの側面図である。
【図３】このハッカーにおける吊環ピン（ボルト両端にカラーを装着したもの）と本体長溝との位置関係を示す拡大説明図である。
【図４】このハッカーの無負荷状態と負荷状態を対比して示す説明図である。
【図５】このハッカーの使用例を示す説明図である。
【図６】このハッカーの他の使用例を示す説明図である。
【図７】このハッカーに使用する吊環ピンの斜視図である。
【符号の説明】
【００２５】
１０  本体
１３  開口部
１４  長溝
１６  ボルト（吊環ピン）
１９  カラー
１９ａ  カラーの平行面
２０  アーム
２２  長溝
３０  吊環部材
【図１】
2004345866.tif 000003
【図２】
2004345866.tif 000004
【図３】
2004345866.tif 000005
【図４】
2004345866.tif 000006
【図５】
2004345866.tif 000007
【図６】
2004345866.tif 000008
【図７】
2004345866.tif 000009